(57)【特許請求の範囲】
【請求項１】
医療用手当用品であって、
手当用品本体であって、
第１の主表面と、
該第１の主表面の反対側にあり、皮膚接触接着剤を含む、第２の主表面と、を含む、手当用品本体と、
フラップであって、
第１の主表面と、
当該フラップの第１の主表面の反対側にある第２の主表面と、
該手当用品本体に連結された固定端と、
自由端であって、該自由端が該手当用品本体と重なる関係に配置されない第１の位置と、該自由端が該手当用品本体と重なる関係に配置される第２の位置との間で、該手当用品本体に対して移動可能である、自由端と、を含む、フラップと、を含み、
少なくとも該フラップの該自由端の該第２の主表面が、固定接着剤によって該手当用品本体に固定されるように構成され、前記手当用品本体の前記第２の主表面と皮膚表面との間の接着力が、前記フラップの前記第２の主表面と前記手当用品本体の前記第１の主表面との間の接着力より弱くなっており、
該フラップが、該手当用品本体の近位端側に位置し、該手当用品本体の遠位部分に、該フラップが無い、医療用手当用品。
【請求項２】
前記皮膚接触接着剤が、シリコーン接着剤を含み、前記固定接着剤が、アクリレート接着剤を含む、請求項１に記載の医療用手当用品。
【発明の詳細な説明】
【技術分野】
【０００１】
本開示は、フラップを有する医療用手当用品に関する。特に、本開示は、患者の体の望ましい場所に、カテーテルシステム等の医療用物品を、安全にかつ確実に固定するための医療用手当用品に関連する。
【背景技術】
【０００２】
医療用粘着性手当用品は、医療用装置を皮膚に固定するため等、多様な医療用途のために使用される。粘性手当用品は、感染症種からの障壁防護を、創傷又はカテーテル挿入部位に提供することができる。透明な粘着性手当用品は、手当用品を取り外す必要なく部位の視覚モニタリングを達成できるため、カテーテル挿入部位で一般に使用される。挿入された医療装置の不良又は弱い固定は、拮抗的微生物の潜在的湿潤の危険を増すことがあり、これは、結果的に装置再挿入の必要がある場合、又は静脈炎及びカテーテル関連血流観戦（ＣＲＢＳＩ）等の合併症につながる場合がある。患者がＣＲＢＳＩを経験すると、死亡率及び罹患率は大幅に増加する。なぜなら、カテーテルライン又は医療装置の損失は、患者にとって非常に壊滅的である場合があり、皮膚に対して強力な粘着を持つ接着剤は、このような装置を固定するために頻繁に使用されているが、これらの接着剤は、除去される際皮膚に大きなダメージを与える場合がある。より皮膚に優しい接着剤の使用は、浮腫、紅斑、及び皮膚剥離又は裂傷等の皮膚損傷を顕著に低減し得る。しかし、一般的な皮膚に優しい接着剤は、（例えば、シリコーン系接着剤）挿入された医療装置及び／又は管に対して典型的に粘着力が弱い。
【発明の概要】
【課題を解決するための手段】
【０００３】
本開示は、一般的に、患者の身体の望ましい場所に、カテーテルシステム等の医療用物品を安全にかつ確実に固定するためのフラップ（例えば、テープフラップ）を含む医療用手当用品に関連する。一般的に、医療用手当用品には、患者の身体に接着する手当用品本体、及び、例えば、いくつかの実施形態では、皮膚に手当用品本体を固定するために使用されていた接着剤よりもより強力な接着剤で、医療物品の少なくとも一部を固定する、手当用品本体に連結された固定端を有するフラップ、が挙げられる。
【０００４】
本開示のいくつかの態様は、例えば、皮膚表面に医療用物品を固定するための医療用手当用品を提供する。医療用手当用品は、第１の主表面と、第１の主表面の反対側にあり、皮膚接触接着剤を含む、第２の主表面と、を含む手当用品本体を含んでもよい。医療用手当用品は、第１の主表面、第１の主表面の反対側にある第２の主表面、手当用品本体に連結された固定端、及び、自由端であって、該自由端が手当用品本体と重なる関係に配置されない第１の位置と、自由端が手当用品本体と重なる関係に配置される第２の位置との間で手当用品本体に対して移動可能である、自由端と、を含むフラップを更に含んでもよい。少なくともフラップの自由端の第２の主表面は、手当用品本体に固定されるように構成されてもよく、フラップは、手当用品本体の近位端側に位置し、該手当用品本体の遠位部分に、フラップは無い。
【０００５】
本開示のいくつかの態様は、医療用手当用品を提供する。医療用手当用品は、第１の主要表面、及び第１の主要表面の反対側にある第２の主要表面を含んでもよい。第２の主要表面の少なくとも一部は、シリコーン接着剤を含んでもよい。医療用手当用品は、第１の主表面を含むフラップ、第１の主表面の反対側にある第２の主表面、手当用品本体に連結された固定端、並びに、自由端であって、該自由端が手当用品本体と重なる関係に位置しない解放位置と、該自由端が手当用品本体と重なる関係に位置する第２の位置との間で、手当用品本体に対して移動可能な自由端と、を更に含んでもよい。フラップの少なくとも一部は、フラップの自由端が第２の位置にある場合、アクリレート接着剤によって手当用品本体に固定されるように構成されてもよい。
【０００６】
本開示のその他の特徴及び態様は、発明を実施する形態及び添付図面を熟考することによって、明らかになるであろう。
【図面の簡単な説明】
【０００７】
【図１】本開示の一実施形態に係る医療用手当用品の斜視図であって、患者に医療用物品を結合するために使用される医療用手当用品を示す。
【図２】剥離ライナ及びフレームを伴う、図１の医療用手当用品の斜視図である。
【図３】図１、２の医療用手当用品で患者に医療用物品を結合するための方法を図示する。
【図４】図１、２の医療用手当用品で患者に医療用物品を結合するための方法を図示する。
【図５】図１、２の医療用手当用品で患者に医療用物品を結合するための方法を図示する。
【図６】図５の線６−６に沿って切り取った、図１〜５の医療用手当用品の断面図である。
【図７】使用前に見られる、本開示の別の実施形態に係る医療用手当用品の平面図である。
【図８】医療用物品との使用に見られる、図７の医療用手当用品の端面図である。
【図９】本開示の別の実施形態に係る、医療用手当用品の平面図である。
【図１０】図９の医療用手当用品の側面図である。
【図１１】本開示の別の実施形態に係る医療用手当用品の平面図である。
【図１２】本開示の別の実施形態に係る、医療用手当用品の平面図である。
【図１３】本開示の別の実施形態に係る、医療用手当用品の平面図である。
【図１４】本開示の別の実施形態に係る、医療用手当用品の平面図である。
【発明を実施するための形態】
【０００８】
本開示の何らかの実施形態が詳細に説明される前に、本発明はその用途で、以下の説明に記載される又は以下の図面に示される構成の詳細及び構成要素の配置に限定されないことを理解すべきである。本発明は他の実施形態が可能であって、様々な方法で実施又は実行することが可能である。また、本明細書で使用する語法及び専門用語は、説明を目的としたものであって、発明を限定するものとして見なされるべきでない点が、理解されるべきである。「含む（including）」、「備える（comprising）」、又は「有する（having）」、及びこれらの変化形の使用は、その後に列記される要素及びそれらの均等物、並びに更なる要素を包含するものである。特に特定又は限定されないかぎり、「連結された」なる用語及びその変形は広義で用いられるものであって、直接的及び間接的な結合の両方を包含するものである。本開示の範囲から逸脱することなく、他の実施形態が利用されてもよく、構造的又は論理的な変更がなされてもよいことを理解すべきである。更に、「「上」及び「下」等の用語は、各要素を互いの関連において述べるためにのみ用いられ、決して装置の特定の向きを記載するものではなく、装置の必要な又は要求される向きを指示又は示唆するものでもなく、本明細書で述べられる発明が使用時にどのように使用、取り付け、表示、又は配置されるかを特定するものでもない。
【０００９】
本開示は、一般的に、患者の身体の望ましい場所に、カテーテルシステム等の医療用物品を安全にかつ確実に固定するためのフラップを含む医療用手当用品に関連する。医療用手当用品は、皮膚に接着するためのよりダメージの少ない接着剤を含む手当用品本体及び手当用品本体に連結された固定端を持つフラップを含んでもよく、フラップは、例えば、皮膚よりもむしろ手当用品の上面に接着することによって、医療用手当用品の少なくとも一部を確実に固定するためのより強力な接着剤を含む。
【００１０】
本開示の医療用手当用品は、多種多様な医療用物品又は多等級の医療用物品（例えば、ＰＩＣＣ、ＣＶＣ、Ｉｎｓｅｒｔｅｄ  Ｐｏｒｔ、ＰＩＶ）を収容して確実に固定するように汎用であって、特に、数週又は数か月のような長期間にわたって患者に固定される必要がある医療用物品を固定することに有用であり得る。
【００１１】
本開示の医療用手当用品で使用され得る医療用物品の例は、コネクタ取付け部品、カテーテルシステム（例えば、カテーテル、カテーテルハブ、カテーテルアダプター等を含む）、流体供給ライン、挿入されたポート、他の類似の物品、又はそれらの組合せが挙げられるが、これらに限定されない。カテーテルシステムの例には、静脈（ＩＶ）カテーテル（例えば、抹消静脈カテーテルＰＩＶ）、中心静脈カテーテル（ＣＶＣ）、末端に挿入された中心カテーテル（ＰＩＣＣ）、動脈カテーテル、泌尿器カテーテル、及び透析カテーテルが挙げられてもよいが、これらに限定されない。
【００１２】
「縦方向」及び「軸方向」という用語は、医療用物品が延在する方向に概ね平行であって、例えば、カテーテルラインに沿った流体流の全体的な方向に概ね平行である方向又は軸を指すために用いられる。
【００１３】
「横方向」及び「横断方向」という用語は、縦方向の軸又は方向に垂直である方向又は軸を指すために用いられ、医療用物品の左右の運動を表すために用いられる。
【００１４】
「垂直方向の」及び「法線方向の」という用語は、医療用手当用品が患者の皮膚に連結されているときに、患者の皮膚の表面に対するのと同様に、縦方向および横方向の方向及び軸の両方についての垂直な方向又は軸を指すために用いられ、皮膚表面に向かう及び皮膚表面から離れる運動の方向を表すために使用される。
【００１５】
「近位の」及び「遠位の」という用語は、医療用物品を操作又は保持する医療実践者に対する軸方向表すために用いられる。すなわち、「遠位の」という用語は、医療実践者から離れる（並びに患者の身体の挿入部及び患者の身体の内部に向かう）方向を指すために用いられ、「近位の」という用語は、医療実践者に向かう（及び患者の身体の外側に向かう、挿入部位から離れる）方向を指すために用いられる。例えば、カテーテルの遠位端は患者の中に挿入され、一方、近位端は患者の外部に医療実践者に向かって延在している。医療用手当用品の遠位端とは、それが連結される医療用物品の近位端の方に向くように構成された医療用手当用品の端部を指し、医療用手当用品の遠位端は、医療用物品の近位端の方に向くように構成された医療用手当用品の端部を指す。それにより、カテーテルシステムの場合、医療用手当用品の遠位端は、患者の身体の挿入部位の方に向けられ、医療用手当用品の近位端は、患者の身体の挿入部位から離れる方向に向けられる。
【００１６】
図１〜６は、本開示の一実施形態に従う医療用手当用品１００を図示している。図１は、患者の皮膚５０、特に、患者の腕に連結された医療用手当用品１００を図示している。更に、図１は、医療用手当用品１００に連結された例示的な医療用手当用品６０を図示している。例としてのみ、医療用物品６０は、１つ以上の入力カテーテル（又は管又はライン）６２、カテーテルハブ６４、及び１つ以上の出力カテーテル（又は管又はライン）６６を含んでもよい、カテーテルシステムであるところを図示される。図２は、患者に対して医療用手当用品１００を連結する前の医療用手当用品１００を示す。
【００１７】
示されているように、医療用物品６０は、縦方向に沿って延在し、縦方向を定義する長手方向軸Ａを有することができる。医療用物品は、遠位側に延在して第１の縦方向の、遠位端又は部分６８（これは、図１に示されているものを越えて、例えば患者の身体の内部へ延在してもよい）を含むことができ、近位側に延在して第２の縦方向の、近位端又は部分７０（これは、図１に示されているものよりも更に近位側に延在して、更なる要素を含んでもよい）を含むことができる。
【００１８】
例としてのみ、医療用物品６０の遠位部分６８は、挿入部位６５で患者の腕にある末端静脈に入っているところを示され、及び近位部分７０は、コネクタ（図示しない）で終了してもよい、１つの入力カテーテル６２を含むように示される。このようなコネクタは、患者に様々な栄養分又は薬剤を送達するための、流体供給ライン等に接続されてもよい。
【００１９】
示されているように、医療用手当用品１００は、手当用品本体１０２及びフラップ１０４を含んでもよい。手当用品本体１０２は、患者の皮膚５０から離れるように構成された第１の主表面（例えば、頂部主表面）１１０、及び皮膚５０に接着するための皮膚接触接着剤１１５（図２及び６を参照）を含む第１の主表面１１０の反対側にある第２の主表面（例えば、底部主表面）１２２を含んでもよい。手当用品本体１０２は、遠位端１０５及び近位端１０７を含んでもよく、結果的に、遠位端１０５に向かって配置された遠位部分１０６、及び近位端１０７に向かって配置された近位部分１０８を含んでもよい。示されているように、いくつかの実施形態において、手当用品本体１０２の遠位部分１０６は、医療用手当用品１００が、医療用手当用品１００を除去することなく患者に連結される間に監視されることが望ましい医療用物品６０及び／又は患者の皮膚５０の部分（例えば、遠位部分６８）上に位置してもよい、透明窓１０９を含んでもよい。
【００２０】
フラップ１０４は、第１の主表面（例えば、頂部主表面）１１４及び第１の主表面１１４の反対側にある、第２の主表面（例えば、底部主表面）１１６を含んでもよい。第２の主表面１１６は、手当用品本体１０２の第１の主表面１１０等、医療用物品６０の少なくとも一部を固定するための固定接着剤１１７を含んでもよい。フラップ１０４は、手当用品本体１０２に連結した固定端１２０と、自由端１２２であって、自由端１２２が手当用品本体１０２と重なる関係に位置しない第１の（すなわち、開口）位置Ｐ１（図２〜４を参照）と、自由端１２２が手当用品本体１０２と重なる関係に位置する第２の（すなわち、閉鎖）位置Ｐ２（図１、５及び６を参照）との間で、手当用品本体１０２に対して移動可能である、自由端１２２と、を更に含んでもよい。
【００２１】
固定接着剤１１７は、例としてのみ図示及び記載されているが、本明細書で記載及び図示されるいかなる実施形態において、フラップ１０４は、機械的なファスナー等の別のタイプのファスナー又はファスナーシステムを用いて、手当用品本体１０２に代わりに固定されてもよいと理解されるべきである。機械的なファスナーには、以下に限定するものではないが、面ファスナー、フック及びステムのファスナー、フック及びフックのファスナー、ステム及びステムのファスナー、又はこれらの組み合わせが挙げられる。更に、他のタイプのファスナーは、本開示の医療用手当用品で使用されてもよい。いくつかの実施形態において、固定接着剤は、衛生及び食品衛生上の目的等のために、手当用品本体１０２に少なくともフラップ１０４の自由端１２２を固定するための好ましい方法であってもよい。
【００２２】
示されているように、少なくともフラップ１０４の自由端１２２の第２の主表面の少なくとも一部は、固定接着剤１１７によって手当用品本体１０２に（すなわち、手当用品本体１０２の第１の主表面１１０に）固定されるように構成されてもよく、すなわちフラップ１０４の自由端１２２が第２の位置Ｐ２にある場合である。示されているように、フラップ１０４は、手当用品本体１０２の近位端１０７側に又は近位端１０７に隣接して位置してもよく、及び手当用品本体１０２の近位端１０８に重なるように構成されてもよく、そうすることで、手当用品本体１０２の遠位端１０６に、フラップ１０４が無くなる。このような構成は、特に、透明窓１０９等を使用している医療用手当用品１００の実施形態において重要であってよく、これにより、フラップ１０４は、透明窓１０９に対して近位側に位置し、かつカテーテルシステムが用いられた場合の挿入部位６５等、医療用物品６０及び／又は患者の少なくとも一部の視覚的な監視を妨害しない。
【００２３】
図１に示すように、フラップ１０４は、例えば、医療用物品６０が患者に連結される際の望ましくない縦方向、横方向、及び／又は垂直方向の運動から、手当用品本体１０２の第１の主表面１１０に隣接した医療用物品６０を固定するために特に好適であってよい。このように、手当用品本体１０２は、医療用物品６０の遠位部分６８を固定することができ、かつフラップ１０４は、医療用物品６０の近位部分７０を更に固定するために手当用品本体１０２と共に機能してもよい。
【００２４】
手当用品本体１０２の単一の形状のみが図示されているが、手当用品本体１０２は、使用される医療用物品６０の形状及び構成によって、様々な形状及び大きさをとることができると理解されるべきである。いくつかの実施形態において、示されているように、手当用品本体１０２は、１つ以上の層を含む積層構造を含んでもよい。
【００２５】
例としてのみ、図１〜６の実施形態において、手当用品本体１０２は、手当用品本体１０２の全体的な第１の主表面１１０の少なくとも一部を定義する、第１の主表面１３０を有する上層を含み、及び第２の主表面１３２は、手当用品本体１０２の下層に連結されるように構成される。例えば、いくつかの実施形態において、第２の主表面１３２は、フラップ１０４の固定接着剤１１７と同様の特性を有することができる固定接着剤１３３を含んでもよく、以下でより詳細に記載される。
【００２６】
更に示されているように、いくつかの実施形態において、手当用品本体１０２は、手当用品本体１０２の全体的な第２の主表面１１２の少なくとも一部を定義する、第１の主表面１４０及び第２の主表面１４２を有する基層１３８を更に含んでもよく、それゆえ手当用品本体１０２は、皮膚接触接着剤１１５を含むことができる。その他の層は、手当用品本体１０２で用いられてもよく、並びに上層１２８及び基層１３８は、例としてのみ示される。
【００２７】
例としてのみ更に示されているように、基層１３８は、透明であって、及び上層１２８は、上層１２８を貫通して形成された開口部１３４を含み、そうすることで、上層１２８及び基層１３８は、共に透明窓１０９を形成する。しかし、基層１３８が、より不透明でかつ開口部１３４を含む、並びに上層１２８が、透明でかつ基層１３８に対して上敷きライナを形成する場合等、他の構成が可能であることを理解するべきである。更に他の実施形態では、手当用品本体１０２は、１つの単一層を含んでもよく、かつ透明窓１０９の領域で透明であってもよい。
【００２８】
基層１３８が、開口部１３４を含み、並びに上層１２８が、透明で、かつ基層１３８の上に上敷きライナ（又はフィルム）を形成する実施形態において、様々な構成が使用されてもよい。例えば、いくつかの実施形態において、上層１２８は、接着剤が無くてもよく、並びに基層１３８は、基層１３８の第１の主表面１４０及び基層１３８の第２の主表面１４２上に接着剤を含んでもよく、そうすることで、開口部１３４（及び、例えば、挿入部位６５）に重なる上層１２８の部分に、接着剤が無くなる。このような実施形態において、基層１３８の第１の主表面１４０は、固定接着剤（例えば、アクリレート接着剤）を含んでもよく、及び第２の主表面１４２（全体的な第２の主表面１１２の少なくとも一部を区別し、かつ皮膚に対向している）は、皮膚接触接着剤１１５（例えば、シリコーン接着剤）を含んでもよい。更に、このような実施形態において、開口部１３４に重なる上層１２８の部分は、医療用物品６０及び／又は皮膚５０の下に接着剤を提供しない。
【００２９】
更に、基層１３８が、開口部１３４を含み、並びに上層１２８が、透明で、かつ基層１３８の上に上敷きライナ（又はフィルム）を形成するいくつかの実施形態において、上層１２８の第２の主表面１３２は、固定接着剤１３３（例えば、アクリレート接着剤）を含んでもよく、基層１３８の第２の主表面１４２は、皮膚接触接着剤１１５（例えば、シリコーン接着剤）を含んでもよい。このような実施形態において、開口部１３４に重なる上層１２８の部分は、医療用物品６０及び／又は皮膚５０の下に固定接着剤１３３を提供する。
【００３０】
更に、基層１３８が、開口部１３４を含み、並びに上層１２８が、透明で、かつ基層１３８の上に上敷きライナ（又はフィルム）を形成するいくつかの実施形態において、上層１２８の第２の主表面１３２は、皮膚接触接着剤（例えば、皮膚接触接着剤１１５、例えば、シリコーン接着剤）を含んでもよく、基層１３８の第２の主表面１４２は、皮膚接触接着剤１１５（例えば、シリコーン接着剤）を含んでもよい。このような実施形態において、開口部１３４に重なる上層１２８の部分は、医療用物品６０及び／又は皮膚５０の下に皮膚接触接着剤を提供する。
【００３１】
皮膚接触接着剤１１５は一般に、感圧性接着剤であって、特に、皮膚（例えば哺乳類の皮膚）に対してしっかりとかつ剥離自在に付着又は接着できる感圧性接着剤である。皮膚接触接着剤１１５は、また、一般に安全かつ非毒性である。皮膚接触接着剤層は、一般的に、手当用品本体１０２の望ましい最終用途にしたがって選択される。一実施形態において、手当用品本体１０２は、１つ以上の皮膚接触接着剤１１５を含んでもよい。手当用品本体１０２が、１つ以上の皮膚接触接着剤層１１５を含む場合、各皮膚接触接着剤１１５は、使用される材料及び厚さについて互いに独立して選択されてもよい。好適な皮膚接触接着剤の例は、以下により詳細に記載される。
【００３２】
一実施形態において、例えば、シリコーン接着剤を使用する実施形態において、手当用品本体１０２及び皮膚接触接着剤１１５は、手当用品主要日１０２の第１の主表面１１０から第２の主表面１１２及び皮膚接触接着剤１１５まで完全に通過する開口を提供するために穿孔されてもよく、それは、手当用品本体１０２の通気性を向上させることができ、かつ手当用品本体１０２の下にある皮膚表面における水分形成を最小にすることができる。
【００３３】
医療用手当用品１００は、使用前に手当用品本体１０２の第２の主表面１１２上にある皮膚接触接着剤１１５に、解離層又は表面を提供することができる１つ以上の剥離ライナを更に含んでもよい。本開示の医療用手当用品との使用に適したライナの例は、以下に記載される。
【００３４】
いくつかの実施形態において、図１〜６に示されているように、フラップ１０４の固定端１２０、及び特に、固定端１２０の領域内のフラップ１０４の第２の主表面１１６は、手当用品本体１０２の第１の主表面１１０に接着ないしは別の方法で固定又は連結されてもよい。他の実施形態では、例えば、図７、８に示されているように、及び以下に記載されているように、フラップ１０４の固定端１２０は、手当用品本体１０２と一体的に形成されてもよく、又は手当用品本体１０２の部分によって提供されてもよく、並びにリビングヒンジによって手当用品本体１０２（又は手当用品本体１０２の残りの部分）から分割されていてもよい。
【００３５】
いくつかの実施形態では、弱接着性コーティング（弱接着性バックサイズ又はＬＡＢ）は、少なくとも、キャリア層１４６及び／又はフラップ１０４に接する領域にある、手当用品本体１０２（例えば、上層１２８の第１の主表面１３０上）に提供されてもよい。弱接着性コーティングは、他のテープ又は装置が、医療用手当用品１００（又は手当用品本体１０２）上に配置され、かつ除去された時の不必要な手当用品の除去により、全ての医療用手当用品１００（又は手当用品本体１０２）を変更する必要を低減することができ、更に、亜麻布又は他の布地上の医療用手当用品１００の表面摩擦を低減することができるため、医療用手当用品１００の偶発的な除去に対する追加の保護を提供している。本会維持の医療用手当用品との使用に適した弱接着性支持体材料の説明は、米国特許第５，５３１，８５５号及び同第６，２６４，９７６号で見出すことができ、その全体が参照として本明細書に組み込まれる。
【００３６】
図１〜６に示すように、フラップ１０４は、固定端１２０及び自由端１２０の（又は隣接した固定端１２０及び自由端１２０の）領域で、フラップ１０４の第２の主表面１１６上にある固定接着剤１１７を含んでもよい。剥離ライナ１２４は、フラップ１０４の自由端１２２を、第２の位置Ｐ２へと移動し、並びにフラップ１０４の第２の主表面１１６を、手当用品本体１０２及び／又は固定接着剤１１７を使用している医療用物品６０に固定することが所望されるまで、フラップ１０４の自由端１２２上で固定接着剤１１７を覆うために使用されてもよい。つまり、いくつかの実施形態において、フラップ１０４の第２の主表面１１６の第１の部分（すなわち、フラップ１０４の固定端１２０に隣接する又は含む）は、手当用品本体１０２の第１の主表面１１０に固定接着剤１１７によって固定されてもよく、並びにフラップ１０４の第２の主表面１１６の第２の部分（すなわち、フラップの自由端に隣接する又は含む）は、使用前に固定接着剤１１７を覆う取り外し可能な剥離ライナ１２４を含んでもよい。
【００３７】
いくつかの実施形態では、図１〜６に示されているように、固定接着剤１１７は、フラップ１０４の第２の主表面１１６に沿って連続性があってもよく、並びに固定端１２０が、手当用品本体１０２の第１の主表面１１０に接着されるのと同時に、自由端１２２は、使用前に剥離ライナ１２４によって覆われてもよい。しかし、いくつかの実施形態において、固定接着剤１１７の複数の区画があってもよい。例えば、いくつかの実施形態において、固定接着剤１１７の一部分は、フラップ１０４の固定端１２０に隣接して配置されてもよく、及び固定接着剤１１７の他の部分は、フラップ１０４の自由端１２２に隣接して配置されてもよく、このような方法で、フラップ１０４の中間区画に固定接着剤１１７が無いままとなる。このような実施形態において、フラップ１０４の自由端１２２の部分（例えば、最終端）は、固定された医療用物品にいくつかの安全性を提供するために第２の位置Ｐ２内にある場合、手当用品本体１０２に接着されたままでもよいが、フラップ１０４の持ち上げは、固定された医療用物品上で不必要な又は痛みを伴う引っ張り運動を引き起こさない。
【００３８】
いくつかの実施形態において、異なる固定接着剤は、フラップ１０４の固定端１２０及び自由端１２２に隣接して使用されてもよく、かついくつかの実施形態において、同じ固定接着剤１１７は、フラップ１０４の全体的な第２の主表面１１６にわたって使用されてもよい。
【００３９】
フラップ１０４の固定端１２０が、手当用品本体１０２の第１の主表面１１０に接着されている場合の図１〜６の実施形態等のような実施形態において、フラップ１０４自体は、第１の位置Ｐ１と第２の位置Ｐ２との間を枢軸旋回してもよい。例としてのみ、フラップ１０４は、医療用物品６０の近位部分、例えば、医療用物品６０が、カテーテルシステムであって、かつフラップ１０４が、挿入カテーテル６２を手当用品本体１０２に固定するために使用されてもよい場合の挿入部位に対して近位の部分、を固定するために使用されてもよい。
【００４０】
示されているように、いくつかの実施形態において、医療用手当用品１００は、医療用物品６０のその他の部分（例えば、挿入カテーテル６２の更に近位部分）を、患者の皮膚５０に更に固定するために使用されてもよい、１つ以上の補助テープ片１４５を更に含んでもよい。示されているように、補助テープ片１４５は、任意のキャリア又はフレーム層１４６によって提供されてもよく、かつ手当用品本体１０２に、特にフラップ１０４と同じ方法で、連結されない。補助テープ片１４５は、任意であって、及び例としてのみ示されるのみである。
【００４１】
キャリア層１４６は、手当用品本体１０２の上に任意追加的に位置する。キャリア層１４６は、高分子フィルムなどの材料の単一片であることができ、又は２つ以上の別個の片であることができる。図１〜６の実施形態において、キャリア層１４６は、タブ１４８を形成するために手当用品本体１０２の縁部を超えて延在する少なくとも１つの部分を含む。タブ１４８は、医療用手当用品１００の位置決めする間保持されてもよい。医療用手当用品１００のための剥離ライナは、キャリア層１４６のタブ１４８の形状、大きさ、及び相対位置に一致するタブを更に含んでもよい。
【００４２】
示されているように、キャリア層１４６は、手当用品本体１０２の周辺の少なくとも一部に沿って延在してもよく、かつ手当用品本体１０２の部分を露出する窓１４９を形成してもよい。このようにして、キャリア層１４６及びその窓１４９は、手当用品本体１０２の外周部分の完全な周囲をわずかに下回って延在するフレームを形成する。窓１４９は、手当用品本体１０２が、手当用品本体１０２（又は医療用手当用品１００の全体）の扱いやすさを増すためにキャリア層１４６に接着されたままで医療法物品６０の上に配置されることを可能にする。
【００４３】
更に図１〜６に示されているように、いくつかの実施形態において、手当用品本体１０２は、手当用品本体１０２の中央部分１５４を囲む外周部分（又は外周部分領域）１５２を含んでもよく、並びに凹部（又は裂け目又は切れ目）１５６は、外周部分１５２から手当用品本体１０２の中央部分１５４内に延在しており、凹部１５６は、医療用装置６０の部分（例えば、経皮装置等の細長い部材、例えば、カテーテル）が、医療用装置６０を通過するのを可能にする。示されているように、いくつかの実施形態において、凹部１５６は、手当用品本体１０２の近位部分１０８内に形成されてもよく、かつ手当用品本体１０２の近位端１０７を通って延在してもよい。例えば、凹部１５６は、手当用品本体１０２が、医療用物品６０の崇高部の周囲に適合するのを可能にすることができ、又はカテーテルライン等の手当用品適応の領域を出る装置の周囲部分に適合させてもよい。例として、医療用物品６０としてカテーテルシステムを使用している実施形態において、凹部１５６は、医療用物品６０（例えば、挿入部位６５に対して近位である挿入カテーテル６２）が、手当用品本体１０２の第２の主表面１１２から手当用品本体１０２の第１の主表面１１０へ通過することを可能にするように構成されてもよく、医療用物品６０の部分が、医療用手当用品１００が患者に連結されている場合に、手当用品本体１０２の上面に属することを可能にする。このような場合、手当用品本体１０２の第２の主表面１１２は、皮膚接触接着剤を含んだままでもよく、そうすることで、医療用物品６０の部分が、手当用品本体１０２の第２の主表面１１２から手当用品本体１０２の第１の主表面へ凹部１５６を介して通過した後に、凹部１５６に隣接して配置された（又は凹部１５６を定義する）手当用品本体１０２の第２の主表面１１２は、皮膚接触接着剤１１５で皮膚５０に固定されてもよい。
【００４４】
このような構成は、利点であってよく、例えば、手当用品本体１０２が、より弱い、より優しい又はよりダメージの少ない皮膚接触接着剤１１５を、医療用物品６０に接着するために特に好適ではないかもしれない手当用品本体１０２の第２の主表面１１２（例えば、シリコーン系又はシリコーン含有接着剤）上で使用する場合である。このような実施形態において、フラップ１０４は、より強度の高い又はより強力な固定接着剤１１７（例えば、皮膚接着用接着剤に比べて、アクリレート系又はアクリレート含有接着剤）を含んでもよく、これは、医療用物品６０及び／又は手当用品本体１０２に接着するのにより好適であってよい。前述の他の方法は、手当用品本体１０２の第２の主表面１１２と、皮膚（又は皮膚表面）５０との間の接着力は、フラップ１０４の第２の主表面１１６と、手当用品本体１０２の第１の主表面１１０との間の接着力より下回る。
【００４５】
結果として、凹部１５６は、医療用物品６０の部分が、患者の皮膚５０（例えば、図１に示すように、医療用物品６０の下）に皮膚接触接着剤１１５の接着を許容するために、医療用物品６０を通過するのを可能にしてもよく、同時に、フラップ１０４が、凹部１５６に隣接した、手当用品本体１０２の第１の主表面１１０に固定接着剤１１７で医療用物品６０の部分を固定することを更に可能にする。結果として、医療用物品６０の部分は、フラップ１０４と、手当用品本体１０２との間に連結（例えば、挟持）されてもよい。更に、フラップ１０４の自由端１２２は、フラップ１０４の自由端が、第２の位置Ｐ２内にある場合、手当用品本体１０２内にある凹部１５６の少なくとも一部分に、少なくとも部分的に重なるか、又は被覆してもよく、固定されることが所望される医療用物品６０の部分の運動（例えば、縦方向の、横方向の、及び／又は垂直方向の）を阻止する。すなわち、医療用物品６０としてカテーテルシステムを使用している実施形態において、挿入部位６５、出力カテーテル６６、及びカテーテルハブ６４の少なくとも一部は、フラップ１０４が無い手当用品本体１０２の遠位部分１０６によって覆われてもよく、かつ少なくとも入力カテーテル６２は、フラップ１０４を用いて固定されてもよい。皮膚接触接着剤１１５及び固定接着剤１１７の更なる詳細は、以下でより詳細に記載される。
【００４６】
いくつかの実施形態において、例えば、図１１及び１２に示されるように及び以下で説明されるように、フラップ１０４は複数のフラップ１０４のうちの１つであってもよく、複数のフラップ１０４は、平行に又は対向するように（例えば、手当用品本体１０２の両側にヒンジをつける）、若しくはこれらの組み合わせで配向されてもよい。更に、フラップ１０４の固定端１２０が、フラップ１０４が横に開閉するように、手当用品本体１０２の側部上に位置するように図示されていても、固定端１２０（及びヒンジ１２５）は、手当用品本体１０２の近位部分１０８に重なるフラップ１０４を接着するために、手当用品本体１０２上のどこでも又は隣接して位置してもよく、そうすることで手当用品本体１０２にフラップ１０４が無いままとなる。例えば、いくつかの実施形態において、図１４に図示されかつ以下に記載されているように、フラップ１０４の固定端１２２（及びヒンジ１２５）は、手当用品本体１０２の透明窓１０９の直近側に配置されてもよく、かつ手当用品本体１０２に重なるように、及び第２の位置Ｐ２に移動するように近位側でフラップを下す（又は閉じる）ことができる。更に、いくつかの実施形態において、フラップ１０４の固定端１２２（及びヒンジ１２５）は、手当用品本体１０２の近位端１０７に配置されても又は隣接してもよく、こうすることで、すなわち、手当用品本体１０２の遠位部分１０６が、フラップ１０４に無いままであることを許容しつつ、フラップ１０４は、手当用品本体１０２に重なるように遠位にフラップし、かつ第２の位置Ｐ２に動かすことができる。
【００４７】
図３〜５は、患者に医療用手当用品１００を適用する例示的な方法を描く。図３〜５において、医療用手当用品１００は、医療用物品６０を覆うように描かれており、医療用物品６０は、上述したカテーテルシステムである。医療用手当用品１００は、第１に皮膚５０の適用領域を洗浄することによって、及び挿入部位６５で患者に出力カテーテル６６を挿入することによって患者に適用されてもよい。剥離ライナは、その後医療用手当用品１００から除去されてもよく、（皮膚接触接着剤１１５でコーティングされた）手当用品本体１０２の第２の主表面１１２を露出する。剥離ライナから除去されると、例えば、医療用手当用品１００は、皮膚５０上に配置されてもよく、そうすることで、透明窓１０９は、挿入部位６５を覆い、手当用品本体１０２の遠位部分１０６は、挿入部位６５出力カテーテル６６及びカテーテルハブ６４の少なくとも一部を覆い、手当用品本体１０２の近位部分１０８及びフラップ１０４は、入力カテーテル６２の少なくとも一部及び任意追加的に、カテーテルハブ６４の部分を覆う。医療用手当用品１００の縁部は、その後、患者の皮膚５０に対して優しくかつ円滑に押し当てられることができ、そうすることによって、図３に示されるように、患者に接触する露出した皮膚接触接着剤をもたらす。カテーテルライン６２は、凹部１５６を通って引っ張られ、手当用品１０２を出る。
【００４８】
図４に示されるように、フラップ１０４の自由端１２２の第２の主表面１１６に連結した剥離ライナ１２４は、フラップ１０４の第２の主表面１１６上にある固定接着剤１１７を露出するために除去されてもよい。フラップ１０４の自由端１２２は、その後、入力カテーテル６２、手当用品本体１０２の近位部分１０８、及び凹部１５６の少なくとも一部の上で、第１の位置Ｐ１（図３）から第２の位置Ｐ２（図４）へ移動されてもよく、固定接着剤１１７を、手当用品本体１０２の第１の主表面１１０に接着し、並びに医療用物品６０を接着する。
【００４９】
手当用品本体１０２及びフラップ１０４が、患者の皮膚５０に適切に位置及び接着された後、キャリア層１４６は、図４に示されるように、除去されてもよい。一般的に、キャリア層１４６の除去は、例えば、領域１４７においてキャリア層１４６を把持することによって、及び医療用手当用品１００の縁部に向かってはぎ取る運動を用いることによって完成されてもよい。医療用手当用品１００の適用後、任意の補助テープ片１４５は、図５に示されているような、凹部１５６を介して手当用品本体１０２を出た入力カテーテル６２の更に近位部分等、手当用品本体１０２の部分の上に及び／又は医療用物品５０の部分の上に配置されてもよい。テープ片１４５は、図示及び記載されているように医療用手当用品１００を備えてもよく、又は別々に供給されてもよい。
【００５０】
上記の層及び材料は、以下で詳細に更に記載される。
【００５１】
いくつかの実施形態では、任意の抗菌成分は、医療用手当用品１００とは別に又は医療用手当用品１００と一体となって含まれてもよい。使用される場合、抗菌成分は、医療用物品６０の挿入部位６５の近くに又は隣接して配置されてもよく、挿入部位６５内及び周囲での微生物の増殖を阻止する。抗菌成分は、３Ｍ  Ｃｏｍｐａｎｙから入手可能な、３Ｍ（登録商標）ＴＥＧＡＤＥＲＭ（登録商標）ＣＨＩ．Ｖ．Ｓｅｃｕｒｅｍｅｎｔ  Ｄｒｅｓｓｉｎｇにおいて用いられているような、吸水性発泡体又はゲルを含んでもよい。
【００５２】
手当用品本体及びフラップ
手当用品本体１０２のための好適な手当用品には、これに限定されるものではないが、１つ以上の布地、織布線維性ウェブ、不織布線維性ウェブ、編み織物、高分子フィルム、その他のよく知られた手当用品材料、又はこれらの組み合わせが挙げられる。手当用品材料（例えば、基層１３８）は、半透明な又は透明な高分子弾性フィルムであってよく、並びに、これに限定されるものではないが、エラストマーのウレタン樹脂、共重合ポリエステル、ポリエチレン、またはこれらの組み合わせで形成されるフィルムを含んでもよい。手当用品本体１０２（例えば、図１〜６の実施形態における基層１３８）は、高水蒸気透湿フィルムであってもよい。米国特許第３，６４５，８３５号は、そのようなフィルムの作製方法及びそれらの透過性を試験する方法を記載している。
【００５３】
手当用品本体１０２は、有利には、ヒトの皮膚に等しい、又はそれを超える速度で水蒸気を透過するべきである。いくつかの実施形態において、接着剤がコーティングされた手当用品本体１０２は、少なくとも３００ｇ／ｍ２／２４時間／３７℃／１００〜１０％  ＲＨ、及びいくつかの実施形態において、少なくとも７００ｇ／ｍ２／２４時間／３７℃／１００〜１０％  ＲＨの割合で水蒸気を透過してもよい。手当用品本体１０２は、一般的に、解剖学的表面に形状適合性がある。このようにして、手当用品本体１０２は、解剖学的表面に適応され、表面が動かされたときであっても表面に適合する。手当用品本体１０２は、動物の解剖学的な関節にも形状適合性があってよい。関節が曲げられ、その後曲げられていない位置に戻されたとき、手当用品本体１０２は、関節の屈位に適応するために伸縮するように作られてもよいが、関節が曲げられていない状態に戻ったときは、関節にぴったり一致し続けるように十分に弾力的であってよい。
【００５４】
上述したように、手当用品本体１０２は、上層１２８および基層１３８等、材料の単一層であってよく、又は２つ以上の層で構成されてもよい。手当用品本体１０２は、可撓性のある材料であってよい。例えば、手当用品本体１０２、又は手当用品本体１０２の部分（例えば、上層１２８又は基層１３８、又は両方）は、フィルム、紙、織布、編物、又は不織布材料であってよく、若しくはフィルム、紙、織布、編物、又は不織布の１つ以上の層の組み合わせであってもよい。いくつかの実施形態において、少なくとも１つの上層１２８及び基層１３８は、下にある皮膚又は医療用装置を見ることを可能にするのに望ましくてもよい。
【００５５】
非常に薄いフィルムに強度を追加するために、フィルムの全て又は部分は、別のフィルム、織布、編物、又は不織布の追加層を含んでもよい。例えば、３Ｍ（登録商標）ＴＥＧＡＤＥＲＭ（登録商標）Ｉ．Ｖ。例えば、３ＭＣｏｍｐａｎｙから入手可能であるＡｄｖａｎｃｅｄ  Ｄｒｅｓｓｉｎｇは、薄い透明なフィルムに固定された不織布基材を更に含む、手当用品の一部分を含む。
【００５６】
上層１２８及び基層１３８（及び任意追加的に、追加の層）を使用しているいくつかの実施形態において、上層１２８及び基層１３８は、上述された任意の材料で形成されてもよい。例としてのみ、いくつかの実施形態において、上層１２８は、Ｗｉｌｍｉｎｇｔｏｎ，ＤＥのＤｕＰｏｎｔ  ＣｏｒｐｏｒａｔｉｏｎからＳＯＮＴＡＲＡ（登録商標）の商品名で入手可能な不織布で形成されてもよく、及び固定接着剤１３３、及び基層１３８は、Ｓｔ．Ｐａｕｌ，ＭＮの３Ｍ  ＣｏｍｐａｎｙからＴＥＧＡＤＥＲＭ（登録商標）の商品名で入手可能なフィルムで形成されてもよい。上述したように、いくつかの実施形態において、上層１２８は、実際は、基層１３８の下に配置されてもよい。
【００５７】
フラップ１０４は、手当用品本体１０２に対して上述した任意の材料で形成されてもよい。
【００５８】
キャリア層
キャリア層１４６を形成するために使用される材料は、一般的には、手当用品本体１０２より実質的に堅く、手当用品本体１０２が、患者に適用されている間に誤ってしわになるのを防ぐ。キャリア層１４６は、上述した低接着性コーティングによって又はこれによらずに、手当用品本体１０２に対してヒートシール性があってよい。広くは、キャリア層材料は、ポリエチレン／ビニルアセテートコポリマーがコーティングされた紙及びポリエステルフィルムを含むことができるが、これらに限定されない。好適なキャリア層の一実施例は、ポリエチレン／ビニルアセテートコポリマーがコーティングされた、超カレンダー処理されたクラフト紙（１−８０ＢＫＧ−１５７  ＰＥ、Ｗｉｌｌｏｗｂｒｏｏｋ，Ｉｌｌ．のＬＯＰＡＲＥＸ）である。
【００５９】
キャリア層１４６は、患者に対する医療用手当用品１００の適用後、キャリア層１４６の分割部を補助するために穿孔を含んでもよい。穿孔の間隔及び形状は、適用されたドレッシングからキャリア層を取り外すために比較的容易な引き裂き性能を付与するために熟成される。穿孔は、線状、角度付き、Ｙ字形状、２つの角度付きオフセット、正弦波形状を含む、許容された穿孔パターンのいずれにしたがって成形されてもよい。
【００６０】
剥離ライナ
本開示の医療用手当用品との使用に適した剥離ライナは、これらに限定されることはないが、クラフト紙、ポリエチレン、ポリプロピレン、ポリエステル、又はこれらの組み合わせから作られてもよく、又は含んでもよい。そのようなライナは、フルオロケミカル、シリコーン又は他の好適な低表面エネルギー材料のようなはく離剤で被覆することができる。当業者にとって既知であるその他の接着剤及び剥離ライナの組み合わせは、本開示の医療用手当用品においても使用されてもよい。市販のシリコーンコーティングした剥離紙の例は、Ｒｅｘａｍ  Ｒｅｌｅａｓｅ（Ｂｅｄｆｏｒｄ  Ｐａｒｋ，Ｉｌｌ．）から入手可能なシリコーン剥離紙、ＰＯＬＹＳＬＩＫ（商標）、及びＬＯＰＡＲＥＸ（Ｗｉｌｌｏｗｂｒｏｏｋ，Ｉｌｌ．）によって供給されるシリコーン剥離紙である。市販のこのような剥離ライナのその他の非限定的な例には、Ｈ．Ｐ．Ｓｍｉｔｈ  Ｃｏ．，から販売されているシリコーン処理したポリエチレンフタレートフィルム、及び「ＳＣＯＴＣＨＰＡＫ（登録商標）」剥離ライナの商品名で３Ｍ  Ｃｏｍｐａｎｙ（Ｓｔ．Ｐａｕｌ）から販売されているフルオロポリマーコーティングポリエステルフィルムが挙げられる。
【００６１】
接着剤
上述したように、固定接着剤１１７及び１３３は、皮膚接触接着剤１１５より高い接着力を有してもよい。いくつかの実施形態において、固定接着剤１１７、１３３及び皮膚接触接着剤１１５は、同じ又は同様の種類の接着剤であってもよいが、異なる接着レベルを有する。例えば、固定接着剤１１７、１３３及び／又は皮膚接触接着剤１１５は、アクリレート、シリコーン、ウレタン、ヒドロゲル、ヒドロコロイド、天然ゴム、又は合成ゴムであってよい。接着力は、接着剤組成物、接着剤厚さ、又は接着剤表面領域（例えば、模様がコーティングされた接着剤）における変化でも調律されてもよい。
【００６２】
「接着力」は、下にある基材から接着剤を分離するのに必要な力を指す。粘着力は、いくつかの方式で測定することができる。例えば、接着力は、剥離力又は剪断力によって定義することができる。いくつかの実施形態では、粘着力は、ＡＳＴＭ  Ｄ３３３０／Ｄ３３３０Ｍ−０４（２０１０）を使用し、引きはがし粘着力によって定義することができる。いくつかの実施形態において、接着力は、ＡＳＴＭ  Ｄ３６５４Ｍ−０６（２０１１）を用いた剪断保持力によって定義されてもよい。接着力は、接着されている特定の基材と共に、感圧接着剤（ＰＳＡ）が基材上で延ばされることが可能な時間に大きく依存する。
【００６３】
例えば、医療用手当て用品の感圧性接着剤によって示される典型的な引きはがし粘着力の値は、ステンレス鋼から測定したとき、２０〜３００ｇ／ｃｍの範囲であり得る。いくつかの実施形態において、ＡＳＴＭ  Ｄ３３３０／Ｄ３３３０Ｍ−０４（２０１０）によって測定される、皮膚接触接着剤１１５の上の固定接着剤１１７、１３３の少なくとも１０％の高い引きはがし粘着力は、皮膚５０に優しい接着を提供する際に、医療用物品６０に固定されている両者の効果を認識してもよい。
【００６４】
いくつかの実施形態において、固定接着剤１１７、１３３は、アクリレート接着剤であってもよく、及び皮膚接触接着剤１１５は、シリコーン接着剤であってもよい。「アクリレート又は「アクリレート系」又は「アクリレート含有」という用語は、アルコールのモノマー性アクリレート又はメタクリル酸エステルを指す。本明細書において、アクリレートモノマーとメタクリレートモノマーとをまとめて「アクリレート」モノマーと呼ぶ。「アクリレート系」又は「アクリレート含有」と記載される材料は、少なくともいくつかのアクリレートモノマーを含有し、追加のコモノマーを含有してもよい。
【００６５】
アクリレート接着剤は、粘着性手手当用品を医療用物品又は皮膚に固定するために好適である。接着力は、高接着性又は低接着性を有するように操作され得る。概ね、アクリレート接着剤と別の材料との間の粘着力は、経時的に増加する。この特性は、アクリレート接着剤が、医療用物品６０を固定することを意図した固定接着剤１１７、１３３として、良好に適するようにする。
【００６６】
アクリレートコポリマーなど、皮膚に塗布され得る適切なアクリレート接着剤が、参照によって本明細書にその開示内容が組み込まれる米国再発行特許第２４９０６号に記載されている。特に、９７：３のイソオクチルアクリレート：アクリルアミドのコポリマーである。もう１つのアクリレート接着剤は、参照によって本明細書にその開示内容が組み込まれる米国特許第４７３７４１０号（実施例３１）に記載されているような、７０：１５：１５のイソオクチルアクリレート：エチレンオキシドアクリレート：アクリレートのターポリマーである。他の有用なアクリレート接着剤は、米国特許第３，３８９，８２７号、同第４，１１２，２１３号、同第４，３１０，５０９号、及び同第４，３２３，５５７号に記載される、これらの開示は、参照により本明細書に組み込まれる。
【００６７】
本明細書で使用されるとき、「シリコーン」又は「シリコーン系」又は「シリコーン含有」という用語は、ジアルキル又はジアリールシロキサン（−ＳｉＲ２Ｏ−）反復ユニットを収容するユニットを含むポリマーを指す。シリコーン系ポリマーは、分割されたコポリマー又はポリシロキサンポリマーであってもよい。シリコーン及びシロキサンという用語は互換的に使用される。
【００６８】
一般に、シリコーン接着剤は、手当用品材及びテープを皮膚に効果的に固定することが可能であって、また皮膚から取り外すと、皮膚の損傷をほとんど又は全く生じさせないことが可能である。典型的に、シリコーン接着剤は、管又は耐久消費財のような、例えば、医療用物品にしばしば存在する、高分子系基材にはよく接着しない。したがって、皮膚からのシリコーン接着剤の優しい除去と組み合わせられた、医療用装置／管への強力な接着力の欠落は、これらの接着剤を、皮膚接触接着剤１１５として、良好に適するようにする。
【００６９】
好適なシリコーン接着剤システムの例には、これらに限定されることはないが、以下の取引上の表示で入手可能な製品、Ｄｏｗ  Ｃｏｒｎｉｎｇ  ＭＧ  ７−９８５０、Ｗａｃｋｅｒ  ＳＩＬＰＵＲＡＮ（登録商標）２１１０及び２１３０、Ｂｌｕｅｓｔａｒ  ＳＩＬＢＯＮＥ（登録商標）ＲＴ  Ｇｅｌ  ４３１７及び４３２０、Ｎｕｓｉｌ  ＭＥＤ−６３４５及び６３５０が挙げられる。好適なシリコーン接着剤のその他の例は、ＰＣＴ出願国際公開第２０１０／０５６５４１号、同第２０１０／０５６５４３号、及び同第２０１０／０５６５４４号に開示されており、開示は、参照により本明細書に組み込まれる。
【００７０】
皮膚接触接着剤の場合、その接着剤が、人間の皮膚以上の速度で水蒸気を透過させることが可能であることが所望される。そのような特徴は、適切な接着剤を選択することで達成することができる一方、米国特許第４，５９５，００１号及び米国特許出願第２００８−０２３３３４８号に記載されるように、接着剤を穿孔する又は接着剤を模様塗りする等、高い相対速度の水蒸気透過を達成する他の方法を用いることができることも、意図される。各固定又は皮膚接触接着剤は、任意追加的に不連続に適用されてもよい。
【００７１】
本開示の医療用手当用品の追加の例示の実施形態は、図７〜１４に関してこれから説明する。図７〜１４は、数字が要素のように示すように、本開示の様々な医療用手当用品を図示する。図７〜１４の医療用手当用品は、図１〜６に関して上述した医療用手当用品１００のように、多くの同じ要素、形態、及び機能を共有する。図１〜６に例示される実施形態の機構及び要素（及び、このような機構及び要素の代替）を更に完全に説明するために、図７〜１４に伴う上記の説明を参照する。図１〜６に関する上述の特徴のいずれかを、図７〜１４の実施形態に適用してもよく、その逆も同様である。医療用手当用品１００に連結されている、図１及び３〜６に図示される同じ医療用物品６０は、図７〜１４のそれぞれの医療用手当用品と共に使用されてもよく、例としてのみ図７〜１４のそれぞれに関して説明される。
【００７２】
図７、８は、本開示の他の実施形態にしたがって医療用手当用品２００を図示する。医療用手当用品２００は、遠位端２０５、遠位部分２０６、上層２２８、基層２３８、遠位部分２０６内の透明窓２０９、近位端２０７、近位部分２０８、第１の主表面２１０（例えば、上層２２８によって定義される）、皮膚接触接着剤２１５を含む第２の主表面２１２（例えば、基層２３８によって定義される）を有する手当用品本体２０２、及び凹部２５６を含む。医療用手当用品２００は、すなわち、使用前に、手当用品本体２０２と一体形成され、手当用品本体２０２に連結された固定端２２０を含み、かつリビングヒンジ２２５によって手当用品本体２０２の残りの部分から分割されたフラップ２０４、自由端２２２、第１の主表面２１４（図８参照）、固定接着剤２１７を含む第２の主表面２１６、並びに第２の主表面２１６に連結された剥離ライナ２２４を更に含む。図７は、手当用品本体２０２のフラップ２０４と第１の主表面２１０との間にある医療用物品６０を固定しているところとして更に示される場合、剥離ライナ２２４を伴う、第１の（開いた）位置Ｐ１内にあるフラップ２０４を図示し、図８は、第２の（閉じた）位置Ｐ２内にあるフラップ２０４を図示する。
【００７３】
医療用手当用品２００は、図１〜６の医療用手当用品１００との多くの類似性を含み、図７、８の医療用手当用品２００は除き、固定端２２０のフラップ２０４が、手当用品本体２０２と一体形成され、かつリビングヒンジ２２５によって手当用品本体２０２から分割されていることを除く。例としてのみ、図７、８の実施形態のフラップ２０４は、手当用品本体２０２の、基層２３８ではない、上層２２８でのみ形成されるが、フラップ２０４は、上層２２８、基層２３８、又は両者で形成されてもよいことを理解すべきである。
【００７４】
図９、１０は、本開示の別の実施形態にしたがって医療用手当用品３００を図示する。医療用手当用品３００は、手当用品本体３０２を含む。医療用手当用品３０２は、上層３２８、最下層３３８、遠位端３０５、遠位部分３０６、遠位部分３０６内にある透明窓３０９、近位端３０７、近位部分３０８、第１の主表面３１０、皮膚接触接着剤３１５を含む第２の主表面３１２、及び凹部３５６を含む。医療用手当用品３００は、図１〜６の医療用手当用品１００との多くの類似点を含み、図９、１０の医療用手当用品３００において手当用品本体３０２の８（及び特に、手当用品本体３０２の近位部分３０８において）上層３２８が、フラップ３０４を形成することを除き、これにより、フラップ３０４は、手当用品本体３０２の少なくとも一部（すなわち、上層３２８）と一体形成され、かつリビングヒンジ３２５によって手当用品本体３０２（すなわち、手当用品本体３０２の上層３２８の残りの部分（遠位部分３０６））の残りの部分から分割される。示されているように、リビングヒンジ３２５は、手当用品本体３０２の長手方向軸Ａ’（図９参照）に対して横方向に延在して位置してよく、近位部分３０８から上層３２８の遠位部分３０６を分割する。
【００７５】
手当用品本体３０２の上層３２８、及び特に、手当用品本体３０２の遠位部分３０６は、手当用品本体３０２に連結されているフラップ３０４の固定端３２０になる。上層３２８の近位部分３０８は、フラップ３０４の自由端３２２になる。上層３２８は、透明窓３０９を区別する開口部３３４（図９）を更に含む。したがって、フラップ３０４の部分は、医療用物品の遠位部分を可視化することを妨げず、かつフラップ３０４の移動可能な自由端３２２は、手当用品本体３０２の近位端３０７側に依然位置され、これにより、手当用品本体３０２の遠位部分３０６は、依然「フラップの無い」３０４となる。
【００７６】
フラップ３０４（又は少なくともフラップ３０４の自由端３２２）は、すなわち使用前に、第１の主表面３１４、固定接着剤３１７を含む第２の主表面３１６、及び第２の主表面３１６に連結された剥離ライナ３２４を更に含む。フラップ３０４は、図９および１０で第１の（開いた）位置Ｐ１内に図示されているが、フラップ３０４は、第２の（閉じた）位置へ移動可能であって、上層３２８（すなわち、フラップ３０４の自由端３２２）と手当用品本体３０２の基層３３８との間で医療用物品を固定し、かつ基層３３８及び凹部３５６の少なくとも一部の近位部分３０８に重なる。凹部３５６は、フラップ３０４によって固定される医療用物品の部分が、フラップ３０４と手当用品本体３０２の基層３３８との間に位置することを可能にするために、上述したように使用されてもよい。
【００７７】
上層３２８（又はフラップ３０４の固定端３２０）は、第１の主表面３３０と、第１の主表面３３０の反対側にあり、かつ固定接着剤３３３を含む第２の主表面３３２と、を含んでもよい。基層３３８は、第１の主表面３４０及び第２の主表面３４２を含んでもよい。上層３２８の第２の主表面３３２は、基層３３８の第１の主表面３４０に連結されるように位置しており、及び基層３３８の第２の主表面３４２は、皮膚に連結するように構成される。結果として、上層３２８の第１の主表面３３０は、手当用品本体３０２の全体的な第１の主表面３１０に対応してもよく、及び基層３３８の第２の主表面３４２は、手当用品本体の全体的な第２の主表面に対応してもよく、かつ皮膚接触接着剤３１５を含んでもよい。例としてのみ、徽宗３２８の第２の主表面３４２は、シリコーン系又はシリコーン含有接着剤を含んでもよく、並びに上層３２８の第２の主表面３３２は、アクリレート系又はアクリレート含有接着剤を含んでもよい。
【００７８】
図１１は、本開示の別の実施形態に係る医療用手当用品４００を図示する。医療用手当用品４００は、手当用品本体４０２及び互いに対向した２つのフラップ４０４を含み、かつ医療用物品を固定するために共に機能する。２つの対向するフラップ４０４は、互いに（例えば、固定接着剤４１７を介して）及び／又は手当用品本体４０２の第１の主表面４１０に連結するように構成されてもよい。
【００７９】
図１２は、本開示の別の実施形態に係る医療用手当用品５００を図示する。医療用手当用品５００は、手当用品本体５０２と、互いに対向し、かつ手当用品本体５０２の長手方向軸Ａ”に沿って互いに縦方向に離れて間隔のあいた、２つ以上のフラップ５０４と、を含み、そうすることで、１つのフラップ５０４は、別のフラップ（又は別のフラップより更に近位側に位置するフラップ）より更に遠位に位置され、並びにそうすることで、複数のフラップ５０４は、例えば、医療用物品の長さに沿って、医療用物品の異なる部分を固定するために使用されてもよい。
【００８０】
図１３は、本開示の別の実施形態に係る医療用手当用品６００を図示する。医療用手当用品６００は、手当用品本体６０２を含み、かつフラップ（図示しないが、任意の上述のフラップが、使用されてもよい）のための固定接着剤６１７は、手当用品本体６０２の第１の主表面６１０上に位置する１つ以上の接着性ランディングパッド６６５によって提供されてもよい。いくつかの実施形態において、１つ以上の接着性ランディングパッド６６５は、フラップの自由端を固定するために使用されてもよく、かついくつかの実施形態において、接着性ランディングパッド６６５は、本開示のフラップの固定端及び自由端の両方を固定するために使用されてもよい。
【００８１】
図１４は、本開示の別の実施形態に係る医療用手当用品７００を図示する。医療用手当用品７００は、手当用品本体７０２及びフラップ７０４を含む。フラップ７０４は、１つ以上の裂け目、切れ目又は一部を切り取った領域７７０を含み、これらはフラップ７０４を、複数の部分又は区画７７２に分割し、例えば、医療用物品（例えば、カテーテル管）の周囲で覆われてもよい。例としてのみ、フラップ７０４は、手当用品本体７０２の透明窓７０９に対して近位側に位置する手当用品本体７０２に連結された固定端７２０を含み、フラップ７０４が、手当用品本体７０２、及び特に、手当用品本体７０２内の凹部７５６の少なくとも一部分と重なる場合、フラップ７０４の自由端７２２は、第１の位置Ｐ１から第２の位置（図示せず）へ遠位にフラップする。
【００８２】
図で示された各実施形態は、本開示の医療用手当用品の様々な特徴を明確に図示するための別個の実施形態として図示される。しかし、要素の任意の組み合わせ、並びに図で示される及び本明細書に記載される任意の実施形態の機能は、本開示の医療用手当用品で使用されてもよいことを理解するべきである。
【００８３】
実施形態
実施形態１は、例えば、皮膚の表面に医療用物品を固定するための医療用手当用品であって、医療用手当用品は、
手当用品本体であって、
第１の主表面と、
第１の主表面の反対側にある第２の主表面と、を含む、手当用品本体と、
フラップであって、
第１の主表面と、
第１の主表面の反対側にあり、固定接着剤を含む第２の主表面と、
手当用品本体に連結された固定端と、
自由端であって、自由端が手当用品本体と重なる関係に配置されない第１の位置と、自由端が手当用品本体と重なる関係に配置される第２の位置との間で、手当用品本体に対して移動可能である、自由端と、を含む、フラップと、を含み、
少なくともフラップの自由端の第２の主表面が、手当用品本体に固定されるように構成され、
フラップが、手当用品本体の近位端側に位置し、手当用品本体の遠位部分に、フラップが無い、医療用手当用品。
【００８４】
実施形態２は、実施形態１に記載の医療用手当用品であって、少なくともフラップの自由端の第２の主表面が、固定接着剤によって手当用品本体に固定されるように構成される。
【００８５】
実施形態３は、実施形態２に記載の医療用手当用品であって、フラップの固定端が、固定接着剤で手当用品本体の第１の主表面に固定される。
【００８６】
実施形態４は、実施形態２又は３に記載の医療用手当用品であって、フラップの第２の主表面の第１の部分は、手当用品本体の第１の主表面に固定接着剤によって固定され、フラップの第２の主表面の第２の部分は、固定接着剤を覆う取り外し可能な剥離ライナを含む。
【００８７】
実施形態５は、実施形態１〜４のいずれかに記載の医療用手当用品であって、フラップの固定端は、手当用品本体で一体形成される。
【００８８】
実施形態６は、実施形態５に記載の医療用手当用品であって、フラップの固定端は、リビングヒンジによって手当用品本体から分割される。
【００８９】
実施形態７は、実施形態１〜６のいずれかに記載の医療用手当用品であって、皮膚接触接着剤は、シリコーン接着剤を含む。
【００９０】
実施形態８は、実施形態２〜７のいずれかに記載の医療用手当用品であって、固定接着剤は、アクリレート接着剤を含む。
【００９１】
実施形態９は、実施形態２〜８のいずれかに記載の医療用手当用品であって、手当用品本体の第２の主表面と皮膚表面との間の接着力は、フラップの第２の主表面と、手当用品本体の第１の主表面との間の接着力よりも弱い。
【００９２】
実施形態１０は、実施形態２〜９のいずれかに記載の医療用手当用品であって、皮膚接触接着剤は、固定接着剤よりも弱い接着力を有する。
【００９３】
実施形態１１は、実施形態１〜１０のいずれかに記載の医療用手当用品であって、手当用品本体は、
手当用品本体の中央部分を囲む外周部分と、
外周部分から手当用品本体の中央部分へと延在する凹部と、を更に含む。
【００９４】
実施形態１２は、実施形態１１に記載の医療用手当用品であって、フラップの前記自由端が、第２の位置にある場合、フラップの自由端が、手当用品本体の凹部の少なくとも一部分に重なる。
【００９５】
実施形態１３は、実施形態１１又は１２に記載の医療用手当用品であって、凹部は、医療用物品の一部分を、手当用品本体の第２の主表面から手当用品本体の第１の主表面まで延在させるように構成される。
【００９６】
実施形態１４は、実施形態１３に記載の医療用手当用品であって、フラップは、手当用品本体の凹部に隣接する、手当用品本体の第１の主表面に、医療用物品の部分を固定するように配置される。
【００９７】
実施形態１５は、実施形態１３又は１４に記載の医療用手当用品であって、医療用物品は、カテーテルを含むカテーテルシステムを含み、医療用物品の部分が、挿入部位に対して近位側に位置する、カテーテルの近位部分を含む。
【００９８】
実施形態１６は、実施形態１５に記載の医療用手当用品であって、挿入部位が、フラップの無い手当用品本体の遠位部分によって覆われる。
【００９９】
実施形態１７は、実施形態１１〜１６のいずれかに記載の医療用手当用品であって、凹部は、手当用品本体の近位部分内に形成される。
【０１００】
実施形態１８は、実施形態１１〜１７のいずれかに記載の医療用手当用品であって、凹部は、医療用手当用品の近位端を通って延在する。
【０１０１】
実施形態１９は、実施形態１〜１８のいずれかに記載の医療用手当用品であって、フラップは、フラップの自由端が、第２の位置にある場合、医療用手当用品の近位部分に対して重なる関係で位置する。
【０１０２】
実施形態２０は、実施形態１〜１９のいずれかに記載の医療用手当用品であって、フラップは、手当用品本体の近位端側に配置される。
【０１０３】
実施形態２１は、実施形態２〜２０のいずれかに記載の医療用手当用品であって、取り外し可能な剥離ライナは、フラップの第２の主表面上で固定接着剤の少なくとも一部を覆う。
【０１０４】
実施形態２２は、実施形態１〜２１のいずれかに記載の医療用手当用品であって、手当用品本体は、透明窓を含み、フラップは、透明窓に対して近位側に位置する。
【０１０５】
実施形態２３は、実施形態１〜２２のいずれかに記載の医療用手当用品であって、凹部に隣接した手当用品本体の第２の主表面は、皮膚接触接着剤を含む。
【０１０６】
実施形態２４は、実施形態１〜２３のいずれかに記載の医療用手当用品であって、フラップは、手当用品本体の部分によって形成される。
【０１０７】
実施形態２５は、実施形態２４に記載の医療用手当用品であって、手当用品本体は、基層及び上層を含み、かつフラップは、手当用品本体の上層と基層との間で医療用物品の少なくとも一部を固定するように手当用品本体の上層によって形成される。
【０１０８】
実施形態２６は、実施形態２４又は２５に記載の医療用手当用品であって、上層の第２の主表面は、基層の第１の主表面に連結されるように配置され、基層の第２の主表面は、皮膚に連結されるように構成され、並びに基層の第２の主表面は、シリコーン接着剤を含み、及び上層の第２の主表面は、アクリレート接着剤を含む。
【０１０９】
実施形態２７は、実施形態２５又は２６に記載の医療用手当用品であって、フラップは、リビングヒンジによって上層の残りの部分から分割される。
【０１１０】
実施形態２８は、実施形態２７に記載の医療用手当用品であって、リビングヒンジは、手当用品本体の長手方向軸に対して横方向に延在するように配置され、上層の遠位部分を近位部分から分割する。
【０１１１】
実施形態２９は、実施形態１〜２８のいずれかに記載の医療用手当用品であって、フラップは、互いに対向する複数のフラップのうちの１つである。
【０１１２】
実施形態３０は、実施形態２〜２９のいずれかに記載の医療用手当用品であって、少なくともフラップの自由端の第２の主表面は、固定接着剤を含む。
【０１１３】
実施形態３１は、実施形態２〜３０のいずれかに記載の医療用手当用品であって、固定接着剤は、手当用品本体の第１の主表面上の少なくとも１つの接着性ランディングパッドによって提供される。
【０１１４】
実施形態３２は、実施形態１〜３１のいずれかに記載の医療用手当用品であって、フラップは、フラップを複数の部分に分割する、少なくとも１つの切れ目を含む。
【０１１５】
実施形態３３は、実施形態１〜３２のいずれかに記載の医療用手当用品であって、フラップの固定端は、医療用手当用品の透明窓に対して近位側の位置において医療用手当用品に連結され、フラップの自由端は、第１の位置から第２の位置へ近位側に移動する。
【０１１６】
実施形態３４は、医療用手当用品であって、
手当用品本体であって、
第１の主表面と、
第１の主表面の反対側にある第２の主表面であって、第２の主表面の少なくとも一部が、シリコーン接着剤を含む、第２の主表面と、を含む手当用品本体と、を含む、手当用品本体と、
フラップであって、
第１の主表面と、
第１の主表面の反対側にある第２の主表面と、
手当用品本体に連結された固定端と、
自由端であって、自由端が手当用品本体と重なる関係に配置されない開口位置と、自由端が手当用品本体と重なる関係に配置される第２の位置との間で、手当用品本体に対して移動可能である、自由端と、を含む、フラップと、を含み、
少なくともフラップの自由端は、フラップの自由端が第２の位置にある場合、アクリレート接着剤によって手当用品本体に固定されるように構成されてもよい。
【０１１７】
実施形態３５は、実施形態３４に記載の医療用手当用品であって、取り外し可能な剥離ライナは、フラップの第２の主表面上でアクリレート接着剤の少なくとも一部を覆う。
【０１１８】
実施形態３６は、実施形態３４又は３５に記載の医療用手当用品であって、フラップの固定端は、手当用品本体と一体形成される。
【０１１９】
実施形態３７は、実施形態３６に記載の医療用手当用品であって、フラップの固定端は、リビングヒンジによって手当用品本体から分割される。
【０１２０】
実施形態３８は、実施形態３４〜３７のいずれかに記載の医療用手当用品であって、フラップの固定端の第２の主表面は、アクリレート接着剤によって手当用品本体の第１の主表面に固定される。
【０１２１】
上述され図面に示した実施形態は、あくまで一例として示したものであって、本開示の概念及び原理に対する限定を意図したものではない。したがって、各要素並びにその構成及び配置に対して、本開示の趣旨及び範囲から逸脱することなく様々な変更を行うことができることが、当業者に認識されるであろう。
【０１２２】
本明細書で引用された全ての参考文献及び出版物の全体が、参照事項として、明確に本開示に包含される。
【０１２３】
本開示の様々な特徴及び態様が以下の特許請求の範囲において記載される。本発明の実施態様の一部を以下の項目［１］−［２１］に記載する。
[１]
医療用手当用品であって、
手当用品本体であって、
第１の主表面と、
該第１の主表面の反対側にあり、皮膚接触接着剤を含む、第２の主表面と、を含む、手当用品本体と、
フラップであって、
第１の主表面と、
該第１の主表面の反対側にある第２の主表面と、
該手当用品本体に連結された固定端と、
自由端であって、該自由端が該手当用品本体と重なる関係に配置されない第１の位置と、該自由端が該手当用品本体と重なる関係に配置される第２の位置との間で、該手当用品本体に対して移動可能である、自由端と、を含む、フラップと、を含み、
少なくとも該フラップの該自由端の該第２の主表面が、該手当用品本体に固定されるように構成され、
該フラップが、該手当用品本体の近位端側に位置し、該手当用品本体の遠位部分に、該フラップが無い、医療用手当用品。
[２]
少なくとも前記フラップの前記自由端の前記第２の主表面が、固定接着剤によって前記手当用品本体に固定されるように構成される、項目１に記載の医療用手当用品。
[３]
前記フラップの前記固定端が、前記固定接着剤で前記手当用品本体の前記第１の主表面に固定される、項目２に記載の医療用手当用品。
[４]
前記フラップの前記第２の主表面の第１の部分は、前記手当用品本体の前記第１の主表面に前記固定接着剤によって固定され、前記フラップの前記第２の主表面の第２の部分は、前記固定接着剤を覆う取り外し可能な剥離ライナを含む、項目２又は３に記載の医療用手当用品。
[５]
前記フラップの前記固定端が、前記手当用品本体と一体形成される、項目１〜４のいずれか一項に記載の医療用手当用品。
[６]
前記皮膚接触接着剤が、シリコーン接着剤を含み、前記固定接着剤が、アクリレート接着剤を含む、項目２〜５のいずれか一項に記載の医療用手当用品。
[７]
前記手当用品本体の前記第２の主表面と皮膚表面との間の接着力が、前記フラップの前記第２の主表面と前記手当用品本体の前記第１の主表面との間の接着力より弱い、項目２〜６のいずれか一項に記載の医療用手当用品。
[８]
前記手当用品本体が、
前記手当用品本体の中央部分を囲む外周部分と、
該外周部分から、前記手当用品本体の中央部分へと延在する凹部と、を更に含む、項目１〜７のいずれか一項に記載の医療用手当用品。
[９]
前記フラップの前記自由端が、前記第２の位置にある場合、前記フラップの前記自由端が、前記手当用品本体の前記凹部の少なくとも一部分に重なる、項目８に記載の医療用手当用品。
[１０]
前記凹部は、前記医療用物品の一部分を、前記手当用品本体の前記第２の主表面から前記手当用品本体の前記第１の主表面まで延在させるように構成され、前記フラップは、前記手当用品本体の前記凹部に隣接する、前記手当用品本体の前記第１の主表面に、前記医療用物品の該部分を固定するように配置される、項目８又は９に記載の医療用手当用品。
[１１]
前記医療用物品が、カテーテルを含むカテーテルシステムを含み、前記医療用物品の前記部分が、挿入部位に対して近位側に位置する、該カテーテルの近位部分を含む、項目１０に記載の医療用手当用品。
[１２]
前記挿入部位が、前記フラップの無い、前記手当用品本体の遠位部分によって覆われる、項目１１に記載の医療用手当用品。
[１３]
前記手当用品本体が、透明窓を含み、前記フラップが、該透明窓に対して近位側に位置する、項目１〜１２のいずれか一項に記載の医療用手当用品。
[１４]
前記フラップが、前記手当用品本体の一部分によって形成され、前記手当用品本体が、基層及び上層を含み、前記フラップが、前記手当用品本体の該上層と該基層との間で前記医療用物品の少なくとも一部分を固定するように、前記手当用品本体の該上層によって形成される、項目１〜１３のいずれか一項に記載の医療用手当用品。
[１５]
前記上層の第２の主表面が、前記基層の第１の主表面に連結されるように配置され、前記基層の第２の主表面が、皮膚に連結されるように構成され、前記基層の該第２の主表面が、シリコーン接着剤を含み、前記上層の該第２の主表面が、アクリレート接着剤を含む、項目１４に記載の医療用手当用品。
[１６]
前記フラップが、リビングヒンジによって前記上層の残りの部分から分割され、該リビングヒンジが、前記手当用品本体の長手方向軸に対して横方向に延在するように配置され、前記上層の遠位部分を近位部分から分割する、項目１４又は１５に記載の医療用手当用品。
[１７]
前記フラップが、互いに対向する複数のフラップのうちの１つである、項目１〜１６のいずれか一項に記載の医療用手当用品。
[１８]
少なくとも前記フラップの前記自由端の前記第２の主表面が、前記固定接着剤を含む、項目２〜１７のいずれか一項に記載の医療用手当用品。
[１９]
前記固定接着剤が、前記手当用品本体の前記第１の主表面上の少なくとも１つの接着性ランディングパッドによって提供される、項目２〜１８のいずれか一項に記載の医療用手当用品。
[２０]
前記フラップが、前記フラップを複数の部分に分割する、少なくとも１つの切れ目を含む、項目１〜１９のいずれか一項に記載の医療用手当用品。
[２１]
前記フラップの前記固定端が、前記手当用品本体の透明窓に対して近位側の位置において前記手当用品本体に連結され、前記フラップの前記自由端が、前記第１の位置から前記第２の位置へ近位側に移動する、項目１〜２０のいずれか一項に記載の医療用手当用品。
【図１】
0006495178.tif 000002
【図２】
0006495178.tif 000003
【図３】
0006495178.tif 000004
【図４】
0006495178.tif 000005
【図５】
0006495178.tif 000006
【図６】
0006495178.tif 000007
【図７】
0006495178.tif 000008
【図８】
0006495178.tif 000009
【図９】
0006495178.tif 000010
【図１０】
0006495178.tif 000011
【図１１】
0006495178.tif 000012
【図１２】
0006495178.tif 000013
【図１３】
0006495178.tif 000014
【図１４】
0006495178.tif 000015